(57)【要約】【課題】手提げ袋自体の装飾に好適な装飾体を形成するためのリボンを提供すること。【解決手段】装飾体形成用リボン（１０）は、互いに相対する一対の側縁（１２、１４）及び両側縁に連なる、互いに相対する一対の端縁（１６、１８）と、両側縁の一方から他方に向けて両側縁間の大半を伸びる第１の切れ込み（２０）と、第１の切れ込み及び両端縁の一方間にあって両側縁から互いに他の一方に向けて伸びる一対の第２の切れ込み（２２）と、第１の切れ込み及び両端縁の他方間にあって両側縁間を伸びるスリット（２４）とを備える。【選択図】図１
0003203705.tif 000002
【実用新案登録請求の範囲】
【請求項１】
装飾体の形成用リボンであって、
互いに相対する一対の側縁及び両側縁に連なる、互いに相対する一対の端縁と、
両側縁の一方から他方に向けて両側縁間の大半を伸びる第１の切れ込みと、
前記第１の切れ込みと両端縁の一方との間にあって両側縁から互いに他の一方に向けて伸びる一対の第２の切れ込みと、
前記第１の切れ込みと両端縁の他方との間にあって両側縁間を伸びるスリットとを備える、装飾体形成用リボン。
【請求項２】
両端縁は両側縁に対して非直角をなして互いに平行に伸びている、請求項１に記載の装飾体形成用リボン。
【請求項３】
前記スリットは両側縁に対して非直角をなして伸びている、請求項１又は２に記載の装飾体形成用リボン。
【請求項４】
前記第１の切れ込み及び第２の両切れ込みはそれぞれ両側縁に対して直角をなして伸びている、請求項１〜３のいずれか１項に記載の装飾体形成用リボン。
【請求項５】
前記装飾体は手提げ袋を装飾の対象とする、請求項１〜４のいずれか１項に記載の装飾体形成用リボン。
【考案の詳細な説明】
【技術分野】
【０００１】
本考案は、物品の装飾、特に手提げ袋のような物品の装飾に好適な装飾体を形成するための装飾体形成用リボンに関する。
【背景技術】
【０００２】
購買品や贈答品のやり取りに際してこれを手提げ袋に入れることが行われている。ところで、購買品自体あるいは贈答品自体についてはこれに装飾を施すことが一般的となっているが、手提げ袋の装飾については購買品、贈答品ほどには注意が払われていない。
【考案の概要】
【考案が解決しようとする課題】
【０００３】
本考案の目的は、手提げ袋自体の装飾に好適な装飾体を形成するためのリボンを提供することにある。
【課題を解決するための手段】
【０００４】
本考案に係る装飾体形成用リボンは、互いに相対する一対の側縁及び両側縁に連なる、互いに相対する一対の端縁と、両側縁の一方から他方に向けて両側縁間の大半を伸びる第１の切れ込みと、該第１の切れ込み及び両端縁の一方間にあって両側縁から互いに他の一方に向けて伸びる一対の第２の切れ込みと、前記第１の切れ込み及び両端縁の他方間にあって両側縁間を伸びるスリットとを備える。
【０００５】
装飾体形成用リボンは、その両端縁の一方と第１の切れ込みとの間の部分（一端部）に、前記両端縁の他方と前記第１の切れ込みとの間の部分（他端部）に対して捩りを加え、次いで前記一端部を前記他端部に向けて折り曲げ、さらに前記一端部をその端縁（一方の端縁）からスリットに通し、前記一端部を第２の両切込みにおいて前記他端部に係止させることにより装飾体を形成することができる。装飾体は、装飾体用リボンの折り曲げられた一端部が規定する筒状の空間を有し、また、前記スリットに通された装飾用リボンの一端部はその他端部に対して少なくとも部分的に重なり合う。前記装飾体は、その形成過程においてすなわち装飾体形成用リボンの一端部の折り曲げ時に、装飾対象である手提げ袋の２つの手提げ紐の少なくとも一方の一部（例えば根本の部分）を取り巻き、前記一端部が規定する筒状の空間に通すことにより、前記手提げ袋に取り付けることができる。また、取り付け時、両手提げ紐の根元の部分を取り巻くようにするときは、これにより束ねられた両手提げ紐の一部を介して手提げ袋の口を部分的に閉じた状態とすることができる。前記装飾体は、前記手提げ袋のほか、その筒状の空間に例えば洋酒の瓶の首を通すことにより、前記洋酒の瓶の装飾に用いることが可能である。前記装飾体は、その一部を、例えば両面テープを介して贈答品に貼付し、これを装飾することが可能である。
【０００６】
前記装飾体形成用リボンの両端縁は両側縁に対して非直角をなして互いに平行に伸びるものとすることができる。これによれば、装飾体の一端部及び他端部がそれぞれ鋭利であるとの感覚を生起させる尖った端縁を有するものとすることができる。
【０００７】
前記スリットは両側縁に対して非直角をなして伸びるものとすることができる。これによれば、前記スリットを通された一端部と他端部とが互いに交差するようにすることができる。
【０００８】
前記第１の切れ込み及び前記第２の両切れ込みは、好ましくは、それぞれ、両側縁に対して直角をなして伸びている。
【図面の簡単な説明】
【０００９】
【図１】装飾体形成用リボンの平面図である。
【図２】装飾体形成用リボンを用いて形成された装飾体の正面図である。
【図３】図２に示す装飾体の背面図である。
【図４】装飾体の形成過程にある装飾体形成用リボンの斜視図である。
【図５】手提げ袋に取り付けられた装飾体を示す斜視図である。
【考案を実施するための形態】
【００１０】
図１を参照すると、装飾体２６（図２，３）を形成するための装飾体形成用リボンが全体に符号１０で示されている。
【００１１】
装飾体形成用リボン（以下「リボン」と略称する。）１０は、その幅方向に関して互いに相対する一対の側縁１２、１４と、両側縁１２、１４に連なる、その長手方向に関して互いに相対する一対の端縁１６、１８とを有する。リボン１０は、合成繊維製の織布、合成繊維製の不織布、ポリプロピレンやビニルのような合成樹脂製のテープ、紙製のテープ、天然繊維製の織布、天然繊維製の不織布等からなる。
【００１２】
図示の例において、リボン１０の両側縁１２、１４及び両端縁１６、１８はそれぞれ直線的に伸びている。この例に代えて、両側縁１２、１４及び両端縁１６、１８のいずれかが非直線的に、例えば波形を呈して伸びるものとすることができる。リボン１０の長さ寸法及び幅寸法については、また、リボン１０の両側縁１２、１４及び両端縁１６、１８の伸長態様が直線的であるか又は非直線的であるかについては、装飾体２６の装飾対象の形状、大きさ等を考慮して任意に定めることができる。
【００１３】
図示の例にあっては、装飾体２６が発揮する装飾効果を考慮して、リボン１０の表面Ａ及び裏面Ｂ（図２、図３参照）の一方である表面Ａに装飾模様（図示せず）が付されている。図示の例に代えて、リボン１０の表裏両面Ａ、Ｂに同一又は異なる装飾模様を付することができる。
【００１４】
リボン１０は、一方の側縁１２から他方の側縁１４に向けて両側縁１２、１４間の大半を伸びる第１の切れ込み２０と、該第１の切れ込みと一方の端縁１６との間にあって両側縁１２、１４から互いに他の一方に向けて伸びる一対の第２の切れ込み２２と、第１の切れ込み２０と他方の端縁１８との間にあって両側縁１２、１４間を伸びるスリット２４とを有する。
【００１５】
図示のリボン１０にあっては、リボン１０により形成される装飾体２６が発揮する装飾効果を考慮して、その両端縁１６、１８が両側縁１２、１４に対して非直角をなして互いに平行に伸びている。これに代えて、両端縁１６、１８が両側縁１２、１４に対して非平行にあるいは直角をなして伸びるものとすることができる。
【００１６】
同様に、装飾体２６が発揮する装飾効果を考慮して、第１の切れ込み２０が両端縁１６、１８間のほぼ中央に位置し、第２の両切れ込み２２が一方の端縁１６と第１の切れ込み２０との間のほぼ中央に位置し、また、スリット２４が他方の端縁１８よりも第１の切れ込み２０に近接した位置にあるように設定されている。リボン１０の長手方向に関する、第１の切れ込み２０、第２の両切れ込み２２及びスリット２４のそれぞれの位置も、また、図示以外の他の位置にあるように定めることができる。
【００１７】
また、リボン１０の第１の切れ込み２０と第２の両切れ込み２２とがそれぞれ両側縁１２、１４に対して直角をなして伸び、スリット２４が両側縁１２、１４に対して非直角をなして伸びている。図示のこの例に代えて、第１の切れ込み２０と第２の両切れ込み２２とがそれぞれ両側縁１２、１４に対して非直角をなして伸び、また、スリット２４が両側縁１２、１４に対して直角をなして伸びるように設定することができる。
【００１８】
さらに、リボン１０の第１の切れ込み２０と第２の両切れ込み２２とがそれぞれ両側縁１２、１４に対して直角をなして伸び、スリット２４が両側縁１２、１４に対して非直角をなして伸びている。この例に代えて、第１の切れ込み２０と第２の両切れ込み２２とがそれぞれ両側縁１２、１４に対して非直角をなし、スリット２４が両側縁１２、１４に対して直角をなすように設定することができる。
【００１９】
リボン１０は、これを立体的な装飾体２６（図２及び図３）に形成することができる。装飾体２６は、その装飾対象である手提げ袋２８（図５）の装飾のために該手提げ袋の両手提げ紐３０の例えばこれらの根元に取り付けることができる。
【００２０】
図４を参照して、装飾体２６の形成方法を説明する。まず、リボン１０の一方の端縁１６と第１の切れ込み２０との間の部分である一端部３２を、他方の端縁１８と第１の切れ込み２０との間の部分である他端部３４に対して矢印ａ（図１）の方向に捩りを加え、ついで一端部３２を他端部３４に向けて折り曲げる。図示の例では、リボン１０の表面Ａに模様が形成されていることから、模様が隠れないようにすべく、折り曲げ時、一端部３２の裏面Ｂが他端部３４の表面Ａに対して相対するようにする。その後、一端部３２をその端縁１６からスリット２４に通し、一端部３２を第２の両切れ込み２２において他端部３４に係止させる。これにより、折り曲げられた一端部３２が筒状の空間ｈを規定しまた一端部３２及び他端部３４が互いに交差し部分的に重なり合う装飾体２６（図２，３）が形成される。
【００２１】
装飾体２６は、その形成過程であるリボン１０の一端部３２の折り曲げ時に装飾対象である手提げ袋２８の例えば２つの手提げ紐３０の双方の一部（例えば根本の部分）を取り巻き、当該一部が筒状の空間ｈを通るようにすることにより、手提げ袋２８に取り付けることができる。装飾体２６は、取り付け時、両手提げ紐３０の一方の一部を取り巻くようにすることが可能であるが、図示の例におけるように、両手提げ紐３０の双方の一部を取り巻きこれらを束ねることにより、手提げ袋２８の口３６を部分的に閉じた状態とすることができる。装飾体２６の装飾対象は、手提げ袋２８のほか、例えば洋酒の瓶（図示せず）や贈答品（図示せず）とすることが可能である。前記洋酒の瓶については、装飾体２６の筒状の空間ｈに前記洋酒の瓶の首を通すことにより、これに取り付けることができる。また、前記贈答品については、装飾体２６の一部を、例えば両面テープを介して、贈答品（図示せず）に貼付することができる。
【００２２】
装飾体２６を構成するリボン１０の互いに交差する一端部３２及び他端部３４の長さの比は第２の両切れ込み２２の位置、すなわちリボン１０の他方の端縁１８から第２の両切れ込み２２までの距離の設定値によって変わり、また、両端部３２、３４の交差角度はリボン１０の両側縁１２、１４に対するスリット２４の交差角度の設定値によって変わる。
【符号の説明】
【００２３】
１０  装飾体形成用リボン
１２、１４  装飾体形成用リボンの側縁
１６、１８  装飾体形成用リボンの端縁
２０  第１の切れ込み
２２  第２の切れ込み
２４  スリット
２６  装飾体
２８  手提げ袋
３０  手提げ紐
【図１】
0003203705.tif 000003
【図２】
0003203705.tif 000004
【図３】
0003203705.tif 000005
【図４】
0003203705.tif 000006
【図５】
0003203705.tif 000007